(57)【特許請求の範囲】
【請求項１】
筐体と、底板および該底板の両側部から立設された一対の側板を有するケース本体と、前記底板とほぼ平行に設置され、前記両側板に連結される蓋体と、前記筐体の前記ケース本体および前記蓋体に対する位置決めをする位置決め手段とを備え、前記ケース本体と前記蓋体とで前記筐体を収納するディスク装置のケースであって、
前記筐体は、前記ケース本体とはネジ止めされているが、前記蓋体とはネジ止めされておらず、
前記ケース本体と前記蓋体とはネジ止めされており、
前記筐体には、正面視で、左下部、右下部、左上部および右上部の４箇所に突起が形成され、
前記ケース本体には、前記左下部の突起および前記右下部の突起がそれぞれ挿入する第１孔および第２孔が形成され、
前記蓋体には、前記左上部の突起および前記右上部の突起がそれぞれ挿入する第３孔および第４孔が形成され、
前記各突起、前記第１孔、前記第２孔、前記第３孔および前記第４孔により前記位置決め手段が構成されていることを特徴とするディスク装置のケース。
【請求項２】
前記第１孔および前記第４孔は、前記突起がほぼ遊びなく嵌入する孔であり、
前記第２孔および前記第３孔は、前記突起を孔内で一方向に移動可能に挿入する孔である請求項１に記載のディスク装置のケース。
【請求項３】
前記各突起は、横断面形状が円形であり、
前記第１孔および前記第４孔は、前記突起がほぼ遊びなく嵌入する円形孔であり、
前記第２孔および前記第３孔は、左右方向に伸びる長孔である請求項１に記載のディスク装置のケース。
【請求項４】
前記第２孔および前記第３孔は、前記突起がほぼ遊びなく嵌入する孔であり、
前記第１孔および前記第４孔は、前記突起を孔内で一方向に移動可能に挿入する孔である請求項１に記載のディスク装置のケース。
【請求項５】
前記各突起は、横断面形状が円形であり、
前記第２孔および前記第３孔は、前記突起がほぼ遊びなく嵌入する円形孔であり、
前記第１孔および前記第４孔は、左右方向に伸びる長孔である請求項１に記載のディスク装置のケース。
【請求項６】
筐体と、底板および該底板の両側部から立設された一対の側板を有するケース本体と、前記底板とほぼ平行に設置され、前記両側板に連結される蓋体と、前記筐体の前記ケース本体および前記蓋体に対する位置決めをする位置決め手段とを備え、前記ケース本体と前記蓋体とで前記筐体を収納するディスク装置のケースであって、
前記筐体には、正面視で、左下部、右下部、左上部および右上部の４箇所に突起が形成され、
前記ケース本体には、前記左下部の突起および前記右下部の突起がそれぞれ挿入する第１孔および第２孔が形成され、
前記蓋体は、前記左上部の突起および前記右上部の突起がそれぞれ挿入する第３孔および第４孔が形成され、
前記第１孔および前記第４孔と、前記第２孔および前記第３孔のいずれか一方は前記突起をほぼ遊びなく嵌入する孔であり、他方は前記突起を孔内で一方向に移動可能に挿入する孔であることを特徴とするディスク装置のケース。
【請求項７】
前記各突起は、横断面形状が円形であり、
前記突起をほぼ遊びなく嵌入する孔は、円形孔であり、
前記突起を孔内で一方向に移動可能に挿入する孔は、左右方向に伸びる長孔である請求項６に記載のディスク装置のケース。
【請求項８】
前記突起の先端部は、その外径が先端に向かって漸減する形状をなしている請求項１ないし７のいずれかに記載のディスク装置のケース。
【請求項９】
前記蓋体は、前記ケース本体に対し、平面視で、後方側の左右一対および前方側の左右一対の計４箇所でネジ止めされている請求項１ないし８のいずれかに記載のディスク装置のケース。
【請求項１０】
前記蓋体は、前記ケース本体に対し、平面視で、後方側の左右一対および前方側の左右一対の計４箇所でネジ止めされており、
前記位置決め手段は、前記後方側の左右一対のネジ止め箇所と、前記前方側の左右一対のネジ止め箇所との間に位置している請求項１ないし８のいずれかに記載のディスク装置のケース。
【請求項１１】
前記筐体は、前記ケース本体に対し２〜４箇所でネジ止めされている請求項１ないし１０のいずれかに記載のディスク装置のケース。
【請求項１２】
前記筐体には、ディスク状記録媒体を回転駆動する駆動系が搭載される請求項１ないし１１のいずれかに記載のディスク装置のケース。
【発明の詳細な説明】
【０００１】
【発明の属する技術分野】
本発明は、例えば光ディスクの再生装置のようなディスク装置のケースに関する。
【０００２】
【従来の技術】
ＣＤ−ＲＯＭ、ＣＤ−Ｒ、ＤＶＤ等の光ディスクを再生、または記録／再生するディスク装置が知られている。このディスク装置は、装置本体の骨格を構成する箱状（フレーム状）の筐体と、該筐体に対し光ディスクを装填する位置と排出する位置とに移動可能なディスクトレイと、筐体を収納する外ケースとを有している。また、筐体上には、光ディスクを回転させる光ディスク回転駆動機構と、光ディスクに記録された情報を光学的に読み取る機能を有する光ピックアップと、光ピックアップを光ディスクの径方向に移動させる光ピックアップ移動機構とがそれぞれ設置されている。
【０００３】
このような従来のディスク装置において、外ケースは、底板および該底板の両側部から立設された一対の側板を有するケース本体と、前記底板とほぼ平行に設置され、前記両側板に連結される蓋体とで構成されている。
【０００４】
このような筐体と外ケースとの組み立ては、ケース本体と筐体とを複数箇所でネジ止めするとともに、蓋体と筐体とを複数箇所でネジ止めし、さらに蓋体とケース本体とをネジ止めすることによりなされている。
【０００５】
しかし、このような組み立て構造では、ネジ止めの箇所は、例えば合計１５箇所以上と極めて多く、そのため、構造が複雑化し、使用するネジの本数が多いので部品点数が増大するとともに、組み立て時間が長時間となるという問題があった。
【０００６】
また、従来のディスク装置では、例えば横方向の衝撃が作用した際、筐体の外ケースに対する固定箇所に瞬間的に大きな力が集中し、この固定箇所に破損を生じることがあるという問題があった。
【０００７】
【発明が解決しようとする課題】
本発明の目的は、構造の簡素化、部品点数の削減が可能なディスク装置のケースを提供することにある。また、衝撃に対する耐性に優れるディスク装置のケースを提供することにある。
【０００８】
【課題を解決するための手段】
このような目的は、下記（１）〜（１２）の本発明により達成される。
【０００９】
（１）  筐体と、底板および該底板の両側部から立設された一対の側板を有するケース本体と、前記底板とほぼ平行に設置され、前記両側板に連結される蓋体と、前記筐体の前記ケース本体および前記蓋体に対する位置決めをする位置決め手段とを備え、前記ケース本体と前記蓋体とで前記筐体を収納するディスク装置のケースであって、
前記筐体は、前記ケース本体とはネジ止めされているが、前記蓋体とはネジ止めされておらず、
前記ケース本体と前記蓋体とはネジ止めされており、
前記筐体には、正面視で、左下部、右下部、左上部および右上部の４箇所に突起が形成され、
前記ケース本体には、前記左下部の突起および前記右下部の突起がそれぞれ挿入する第１孔および第２孔が形成され、
前記蓋体には、前記左上部の突起および前記右上部の突起がそれぞれ挿入する第３孔および第４孔が形成され、
前記各突起、前記第１孔、前記第２孔、前記第３孔および前記第４孔により前記位置決め手段が構成されていることを特徴とするディスク装置のケース。
【００１０】
（２）  前記第１孔および前記第４孔は、前記突起がほぼ遊びなく嵌入する孔であり、
前記第２孔および前記第３孔は、前記突起を孔内で一方向に移動可能に挿入する孔である上記（１）に記載のディスク装置のケース。
【００１１】
（３）  前記各突起は、横断面形状が円形であり、
前記第１孔および前記第４孔は、前記突起がほぼ遊びなく嵌入する円形孔であり、
前記第２孔および前記第３孔は、左右方向に伸びる長孔である上記（１）に記載のディスク装置のケース。
【００１２】
（４）  前記第２孔および前記第３孔は、前記突起がほぼ遊びなく嵌入する孔であり、
前記第１孔および前記第４孔は、前記突起を孔内で一方向に移動可能に挿入する孔である上記（１）に記載のディスク装置のケース。
【００１３】
（５）  前記各突起は、横断面形状が円形であり、
前記第２孔および前記第３孔は、前記突起がほぼ遊びなく嵌入する円形孔であり、
前記第１孔および前記第４孔は、左右方向に伸びる長孔である上記（１）に記載のディスク装置のケース。
【００１４】
（６）  筐体と、底板および該底板の両側部から立設された一対の側板を有するケース本体と、前記底板とほぼ平行に設置され、前記両側板に連結される蓋体と、前記筐体の前記ケース本体および前記蓋体に対する位置決めをする位置決め手段とを備え、前記ケース本体と前記蓋体とで前記筐体を収納するディスク装置のケースであって、
前記筐体には、正面視で、左下部、右下部、左上部および右上部の４箇所に突起が形成され、
前記ケース本体には、前記左下部の突起および前記右下部の突起がそれぞれ挿入する第１孔および第２孔が形成され、
前記蓋体は、前記左上部の突起および前記右上部の突起がそれぞれ挿入する第３孔および第４孔が形成され、
前記第１孔および前記第４孔と、前記第２孔および前記第３孔のいずれか一方は前記突起をほぼ遊びなく嵌入する孔であり、他方は前記突起を孔内で一方向に移動可能に挿入する孔であることを特徴とするディスク装置のケース。
【００１５】
（７）  前記各突起は、横断面形状が円形であり、
前記突起をほぼ遊びなく嵌入する孔は、円形孔であり、
前記突起を孔内で一方向に移動可能に挿入する孔は、左右方向に伸びる長孔である上記（６）に記載のディスク装置のケース。
【００１６】
（８）  前記突起の先端部は、その外径が先端に向かって漸減する形状をなしている上記（１）ないし（７）のいずれかに記載のディスク装置のケース。
【００１７】
（９）  前記蓋体は、前記ケース本体に対し、平面視で、後方側の左右一対および前方側の左右一対の計４箇所でネジ止めされている上記（１）ないし（８）のいずれかに記載のディスク装置のケース。
【００１８】
（１０）  前記蓋体は、前記ケース本体に対し、平面視で、後方側の左右一対および前方側の左右一対の計４箇所でネジ止めされており、
前記位置決め手段は、前記後方側の左右一対のネジ止め箇所と、前記前方側の左右一対のネジ止め箇所との間に位置している上記（１）ないし（８）のいずれかに記載のディスク装置のケース。
【００１９】
（１１）  前記筐体は、前記ケース本体に対し２〜４箇所でネジ止めされている上記（１）ないし（１０）のいずれかに記載のディスク装置のケース。
【００２０】
（１２）  前記筐体には、ディスク状記録媒体を回転駆動する駆動系が搭載される上記（１）ないし（１１）のいずれかに記載のディスク装置のケース。
【００２４】
【発明の実施の形態】
以下、本発明のディスク装置のケースを添付図面に示す好適な実施形態に基づいて詳細に説明する。
【００２５】
図１は、本発明のディスク装置のケースの実施形態における蓋体の構成例を示す平面図、図２および図３は、それぞれ本発明のディスク装置のケースの実施形態における筐体の構成例を示す平面図および側面図、図４は、本発明のディスク装置のケースの実施形態におけるケース本体の構成例を示す平面図、図５は、本発明のディスク装置のケースの実施形態における図２中のＡ−Ａ線の位置での分解断面図である。なお、以下では、説明の都合上、図１〜図４中の上方を「後」または「後方」、下方を「前」または「前方」と言い、図５中の上方を「上」または「上方」、下方を「下」または「下方」と言う。
【００２６】
本発明のディスク装置のケース１は、音楽用等のＣＤ、ＣＤ−ＲＯＭ、ＣＤ−Ｒ、ＣＤ−ＲＷ、ＤＶＤ、ＤＶＤ−Ｒ、ＤＶＤ−ＲＷ等の各種光ディスク（ディスク状記録媒体）に記録された情報を再生する機能（または記録／再生する機能）を有する装置であって、例えばパソコンのようなコンピュータ装置（図示せず）の本体に設置されるディスク装置の外装部品として用いられる。このディスク装置のケース１は、ケース本体３と蓋体４とで構成される外ケース２と、外ケース２内に収納される筐体５と、筐体５のケース本体３および蓋体４に対する位置決めをする位置決め手段６とを有している。
【００２７】
筐体５は、ディスク装置の装置本体の骨格を構成する箱状（フレーム状）の部材であり、好ましくは樹脂成形品で構成されている。この筐体５は、後板５１と、対抗する一対の側板５２、５３とを有している。
【００２８】
筐体５には、筐体５に対しその後端部を中心として回動可能に設置されたシャーシ（基台）、シャーシの上方に位置し、光ディスクを載置・搬送するディスクトレイ、シャーシの回動やディスクトレイの移動を行う駆動機構（いずれも図示せず）、シャーシの下方に位置するメイン回路基板５５等が搭載されている。
【００２９】
シャーシには、光ディスクを回転駆動する駆動系と、光ディスクに記録された情報を読み取る機能を有する光ピックアップ（光学ヘッド）と、光ピックアップを光ディスクの半径方向に移動する移動機構とが搭載されている。前記シャーシ、光ディスクの回転駆動系、光ピックアップおよび光ピックアップの移動機構により、スレッドメカユニットが構成される。また、筐体５の前方は、開口しており、この開口を介して、ディスクトレイが出入りする。
【００３０】
筐体５の４隅（４つの角部の近傍）には、それぞれ、ビス孔（ネジ孔）５４１１、５４２、５４３および５４４が形成されている。
【００３１】
ケース本体３は、底板３１と、底板３１の両側部からほぼ垂直に立設された一対の側板３２、３３とを有し、これらが一体的に形成された部材である。このケース本体３は、好ましくは金属板をプレス成形等の塑性加工により所望の形状に変形させてなる板状部材で構成されている。
【００３２】
側板３２の上部には、所定間隔をおいて折り曲げ片３４および３５が形成されている。この折り曲げ片３４および３５は、それぞれ、側板３２の一部を上方に延長し、ケース本体３の内側に向けてほぼ直角に折り曲げたものである。
【００３３】
同様に、側板３３の上部には、所定間隔をおいて折り曲げ片３６および３７が形成されている。この折り曲げ片３６および３７は、それぞれ、側板３３の一部を上方に延長し、ケース本体３の内側に向けてほぼ直角に折り曲げたものである。
【００３４】
また、折り曲げ片３４、３５、３６および３７には、それぞれ、ビス孔（ネジ孔）３４１、３５１、３６１および３７１が形成されている。
【００３５】
底板３１の４隅（４つの角部の近傍）には、それぞれ、上方（外ケース２の内側）に向けて突出（隆起）する隆起部３８１、３８２、３８３および３８４が形成されている。そして、各隆起部３８１、３８２、３８３および３８４の頂部には、それぞれ、ビス孔（ネジ孔）３９１、３９２、３９３および３９４が形成されている。これらのビス孔３９１〜３９４は、それぞれ、筐体５に形成されたビス孔５４１〜５４４に対向する位置に形成されている。
【００３６】
蓋体４は、底板３１とほぼ平行に設置され、両側板３２、３３の上部に連結される。蓋体４は、好ましくは金属板をプレス成形等の塑性加工により所望の形状に変形させてなる板状部材で構成されている。
【００３７】
蓋体４の前記ビス孔３４１、３５１、３６１および３７１に対向する位置には、それぞれ、ビス孔（ネジ孔）４１、４２、４３および４４が形成されている。
【００３８】
また、蓋体４には、光ディスクの誤挿入防止用（姿勢を規制し、引っかかりを防止するためのガイド部として機能する）の凸部４５や、光ディスクの回転時における空気流を調整するための円弧状に延びる凸条４６が形成されている。凸部４５および凸条４６は、蓋体４の下面側に突出している。また、凸条４６の内側の開口部４７には、光ディスクを保持するディスククランパ（図示せず）が設置される。
【００３９】
以上のような筐体５は、位置決め手段６により外ケース２に対し、すなわちケース本体３および蓋体４に対し位置決めがなされる。以下、位置決め手段６の構成について詳述する。
【００４０】
位置決め手段６は、筐体５に形成された４つの突起（ボス）６１、６２、６３および６４と、ケース本体３に形成され、突起６１および６２がそれぞれ挿入する第１孔（ボス孔）７１および第２孔（ボス孔）７２と、蓋体４に形成され、突起６３および６４がそれぞれ挿入する第３孔（ボス孔）７３および第４孔（ボス孔）７４とで構成されている。
【００４１】
図５に示すように、突起６１、６２、６３および６４は、それぞれ、正面視で左下部、右下部、左上部および右上部に形成されている。すなわち、突起６１は、側板５２の下端に下方に向かって突出するよう形成され、突起６２は、側板５３の下端に下方に向かって突出するよう形成され、突起６３は、側板５２の上端に上方に向かって突出するよう形成され、突起６４は、側板５３の上端に上方に向かって突出するよう形成されている。
【００４２】
各突起６１、６２、６３および６４は、横断面が円形をなすものであるが、その先端部は、外径が先端に向かって漸減する形状をなしている。すなわち、本実施形態では、各突起６１、６２、６３および６４の先端外周に面取りが施され、円錐台形状をなしている。このような構成とすることにより、各突起６１、６２、６３および６４を対応する孔に挿入する際の作業を容易かつ確実に行うことができる。
【００４３】
第１孔７１および第２孔７２は、ケース本体３の底板３１を貫通する貫通孔であり、第３孔７３および第４孔７４は、蓋体４を貫通する貫通孔である。この場合、第１孔７１および第４孔７４は、それぞれ、突起６１および６４がほぼ遊び（隙間）なく嵌入する円形孔である。また、第２孔７２および第３孔７３は、それぞれ、左右方向（図１、４および５中の横方向）に伸びる長孔である。これにより、第２孔７２および第３孔７３内に挿入された突起６２および６３は、第２孔７２および第３孔７３内で長孔の長手方向に移動することが許容される。
【００４４】
位置決め手段６をこのような構成としたことにより、ディスク装置のケース１に対し横方向（図１、２、４および５中の横方向）の衝撃（瞬間的な応力等）が作用した場合に、突起６１〜６４の破損（折れ、欠け等）を防止することができる。すなわち、ディスク装置のケース１に対し横方向の応力が作用したとき、正面視で対角の位置にある突起６２および６３がそれぞれ長孔である第２孔７２および第３孔７３の内部でその長手方向に僅かに移動することができるので、筐体５が撓み易くなり、その結果、長孔内にある突起６２および６３はもちろんのこと、円形孔内にある突起６１および６４においてもそれらへの瞬間的な応力集中が避けられ、破損が防止される。
【００４５】
筐体５とケース本体３と蓋体４とを組み立てて外ケース２内に筐体５を収納するように組み立てを行う際に、各突起６１、６２、６３および６４が対応する第１孔７１、第２孔７２、第３孔７３および第４孔７４に挿入されることで、筐体５は、ケース本体３および蓋体４に対し適正な位置に位置決めがなされる。
【００４６】
このとき、第１孔７１〜第４孔７４の全てを長孔とするのではなく、正面視で対角の位置にある第１孔７１および第４孔７４は、それぞれ突起６１および６４をほぼ遊びなく嵌入する円形孔であるため、平常時、すなわちディスク装置のケース１に対し横方向の衝撃が作用していないときには、位置ずれ等を生じることなく、位置決めを確実に行なうことができる。
【００４７】
このような位置決め手段６（突起６１〜６４と、第１孔７１、第２孔７２、第３孔７３および第４孔７４）は、平面視で、蓋体４に形成されたビス孔４１および４４を結ぶ線と、ビス孔４２および４３を結ぶ線との間の所定箇所（図２中のＡ−Ａ線の位置）に設けられている（図１参照）。これにより、筐体５を外ケース２に対しより少ない箇所でバランスよく位置決めすることができる。
【００４８】
以上のような位置決め手段６により位置決めを行いつつ、筐体５とケース本体３とをネジ止めするとともに、ケース本体３と蓋体４とをネジ止めする。これにより、組み立てが完了する。この場合、筐体５は、蓋体４とは直接ネジ止めされていない。
【００４９】
筐体５とケース本体３とのネジ止めは、ビス孔（ネジ孔）３９１〜３９４およびこれに対応するビス孔（ネジ孔）５４１〜５４４のそれぞれにビス（ネジ）８１をねじ込み（螺入し）、締め付けることによりなされる。
【００５０】
また、ケース本体３と蓋体４とのネジ止めは、ビス孔（ネジ孔）４１〜４４およびこれに対応するビス孔（ネジ孔）３４１、３５１、３６１、３７１のそれぞれにビス（ネジ）８２をねじ込み（螺入し）、締め付けることによりなされる。
【００５１】
このように、ネジ止めの箇所は均等に分散され、かつ、筐体５と蓋体４とは直接ネジ止めされないため、ネジ止め箇所は合計８箇所と、従来に比べて大幅に減少することができる。その結果、ディスク装置のケース１の構造を簡素化することができ、使用するビス（ネジ）の本数が少なくなり、部品点数の削減が図れ、また、ネジ止め箇所が少ないことから、組み立てに要する時間を短縮することができ、生産性の向上が図れる。
【００５２】
なお、位置決め手段６の構成は、前述したものに限定されず、例えば、前記とは逆に、第１孔７１および第４孔７４は、それぞれ、左右方向（図１、４および５中の横方向）に伸びる長孔であり、第２孔７２および第３孔７３は、それぞれ、突起６１および６４がほぼ遊びなく嵌入する円形孔であってもよい。
【００５３】
以上、本発明のディスク装置のケースを図示の実施形態について説明したが、本発明は、これに限定されるものではなく、ディスク装置のケースを構成する各部は、同様の機能を発揮し得る任意の構成のものと置換することができる。また、任意の構成物が付加されていてもよい。
【００５４】
例えば、上記実施形態において、第２孔７２および第３孔７３を、前後方向に伸びる長孔とし、その他を前記と同様の構成とすることができる。これにより、位置決めを確実に行ないつつ、ディスク装置のケースを前後方向の衝撃に対する耐性に優れたものとすることができる。
【００５５】
また、上記実施形態において、第１孔７１および第４孔７４を、前後方向に伸びる長孔とし、その他を前記と同様の構成とすることができる。これにより、位置決めを確実に行ないつつ、ディスク装置のケースを横方向および前後方向の衝撃に対する耐性に優れたものとすることができる。
【００５６】
【発明の効果】
以上述べたように、本発明によれば、ディスク装置のケースの構造を簡素化することができ、使用するビス（ネジ）の本数が少なく、部品点数の削減が図れ、また、ネジ止め箇所が少ないことから、組み立てに要する時間を短縮することができ、生産性の向上が図れる。
【００５７】
また、平常時は、筐体のケースに対する位置決めを確実に行ないつつ、例えば横方向の衝撃が作用した場合でも、位置決め手段の構成物（突起等）の破損を有効に防止することができるなど、衝撃に対する耐性を向上することができる。
【図面の簡単な説明】
【図１】本発明のディスク装置のケースの実施形態における蓋体の構成例を示す平面図である。
【図２】本発明のディスク装置のケースの実施形態における筐体の構成例を示す平面図である。
【図３】本発明のディスク装置のケースの実施形態における筐体の構成例を示す側面図である。
【図４】本発明のディスク装置のケースの実施形態におけるケース本体の構成例を示す平面図である。
【図５】本発明のディスク装置のケースの実施形態における図２中のＡ−Ａ線の位置での分解断面図である。
【符号の説明】
１            ディスク装置のケース
２            外ケース
３            ケース本体
３１          底板
３２          側板
３３          側板
３４          折り曲げ片
３４１        ビス孔（ネジ孔）
３５          折り曲げ片
３５１        ビス孔（ネジ孔）
３６          折り曲げ片
３６１        ビス孔（ネジ孔）
３７          折り曲げ片
３７１        ビス孔（ネジ孔）
３８１        隆起部
３８２        隆起部
３８３        隆起部
３８４        隆起部
３９１        ビス孔（ネジ孔）
３９２        ビス孔（ネジ孔）
３９３        ビス孔（ネジ孔）
３９４        ビス孔（ネジ孔）
４            蓋体（天板）
４１          ビス孔（ネジ孔）
４２          ビス孔（ネジ孔）
４３          ビス孔（ネジ孔）
４４          ビス孔（ネジ孔）
４５          凸部
４６          凸条
４７          開口部
５            筐体
５１          後板
５２          側板
５３          側板
５４１        ビス孔（ネジ孔）
５４２        ビス孔（ネジ孔）
５４３        ビス孔（ネジ孔）
５４４        ビス孔（ネジ孔）
５５          メイン回路基板
６            位置決め手段
６１          突起（ボス）
６２          突起（ボス）
６３          突起（ボス）
６４          突起（ボス）
７１          第１孔（ボス孔）
７２          第２孔（ボス孔）
７３          第３孔（ボス孔）
７４          第４孔（ボス孔）
８１          ビス（ネジ）
８２          ビス（ネジ）
【図１】
0003775593.tif 000002
【図２】
0003775593.tif 000003
【図３】
0003775593.tif 000004
【図４】
0003775593.tif 000005
【図５】
0003775593.tif 000006